(57)【要約】【課題】排出されるシートを仕分けて保持することができる記録装置を提供する。【解決手段】記録装置は、画像が記録されたシートを排出する排紙ローラ１０の排出部と、排紙ローラ１０の排出部から排出されたシートの排出経路を切り換える切換部２を備えた排紙トレイ１と、を有している。切換部２は、シートを排紙トレイ１の上に積載させる第１の位置と、シートを排紙トレイ１とは異なるシート収容部４に保持させる第２の位置との間を移動可能である。排紙トレイ１は、上面が切換部２から離れる方向へ向かって上方へ傾斜するように形成された傾斜部３を有している。【選択図】図３
2009269691.tif 000002
【特許請求の範囲】
【請求項１】
画像が記録されたシートを排出する排出部と、該排出部から排出された前記シートの排出経路を切り換える切換部を備えたトレイと、を有する記録装置において、
前記切換部は、前記シートを前記トレイの上に積載させる第１の位置と、前記シートを前記トレイとは異なるシート収容部に保持させる第２の位置との間を移動可能であり、
前記トレイは、上面が前記切換部から離れる方向へ向かって上方へ傾斜するように形成された傾斜部を有していることを特徴とする記録装置。
【請求項２】
前記切換部は、支軸に回動可能に支持されており、前記支軸を中心に回動することによって、前記第１の位置と前記第２の位置との間を移動する、請求項１に記載の記録装置。
【請求項３】
前記シート収容部が前記トレイの下方に設けられている、請求項１または２に記載の記録装置。
【請求項４】
前記排出部から排出されるシートがカットシートであるか連続シートであるかを検知するシート種類検知手段と、前記切換部の配置位置を制御する制御手段と、を有しており、
前記制御手段は、前記シート種類検知手段によって検知されたシートが前記カットシートである場合には前記切換部を前記第１の位置に配置させ、前記シート種類検知手段によって検知されたシートが前記連続シートである場合には前記切換部を前記第２の位置に配置させるように構成されている、請求項１から３のいずれか１項に記載の記録装置。
【請求項５】
前記排出部から排出されるシートがカットシートであることが前記シート種類検知手段によって検知された場合に、前記排出部から排出されるシートが前記トレイで保持できるカットシートの最大サイズよりも大きいか否かを検知するシートサイズ検知手段を有しており、
前記制御手段は、前記排出部から排出されるシートが前記最大サイズよりも大きいことが前記シートサイズ検知手段によって検知された場合には、前記シート種類検知手段による検知結果にかかわらず、前記切換部を前記第２の位置に配置させるように構成されている、請求項４に記載の記録装置。
【発明の詳細な説明】
【技術分野】
【０００１】
本発明は、種類やサイズの異なるシートに画像を記録することができる記録装置に関する。
【背景技術】
【０００２】
記録装置として、プリンタ、複写機、ファックス等が広く知られている。このような記録装置は、画像情報に基づいて用紙やプラスチックシートなどのシート状の被記録媒体（以下、「シート」という。）に画像の記録を行う。
【０００３】
記録装置には、様々なサイズに裁断されたカットシートにも裁断されていない連続シートにも記録を行うことができるものがある。このような記録装置では、画像が記録された様々なサイズのカットシートや連続シートが排出された後にいずれも同じトレイの上に積載されると、積載されたシート同士が互いに揃わずに乱雑になることがある。そのため、このような記録装置は、排出されるシートが種類やサイズによって仕分けられて異なるトレイに保持されるように構成されていることが望ましい。
【０００４】
排出されるシートが、カットシートか連続シートかによって仕分けられて異なるトレイに保持される記録装置が特許文献１に記載されている。
【０００５】
特許文献１に記載された記録装置は、画像が記録されたシートが排出される排出部の近傍に円柱状の切換弁を有しており、切換弁には、排出部に近接する位置に配置された第１の開口部と、第１の開口部に連通された第２の開口部と、が形成されている。
【０００６】
この記録装置は排出部から排出されたシートが保持される上トレイおよび下トレイを有している。排出部から排出されたシートは、第１の開口部から切換弁の中へ通されて第２の開口部から出されることにより、上トレイまたは下トレイのいずれかに保持される。第２の開口部は、切換弁が回動することにより、排出されたシートが上トレイに保持される第１の位置と、排出されたシートが下トレイに保持される第２の位置と、の間を移動可能である。
【０００７】
この記録装置では、排出部から連続シートが排出される場合には、切換弁の第２の開口部が第１の位置に配置され、排出されたシートは、第１の開口部から切換弁の中へ通されて第２の開口部から出されることによって上トレイに保持される。一方、排出部からカットシートが排出される場合には、切換弁の第２の開口部が第２の位置に配置され、排出されたシートは、第１の開口部から切換弁の中へ通されて第２の開口部から出されることによって下トレイに保持される。
【０００８】
このように、この記録装置では、排出されるシートが、連続シートである場合には上トレイに、カットシートである場合には下トレイに、仕分けられて保持される。
【０００９】
また、排出されるシートが、通常サイズのカットシートか大判カットシートかによって仕分けられて異なるトレイに保持される記録装置が特許文献２に記載されている。
【００１０】
特許文献２に記載された記録装置は、画像が記録されたシートが排出される排出部の近傍に切換ゲートを有している。切換ゲートは、排出部側の上端が排出部より下に配置されている第１の位置と、排出部側の上端が排出部より上に配置されている第２の位置と、の間を移動可能である。
【００１１】
この記録装置では、排出部から通常サイズのカットシートが排出される場合には、切換ゲートが第１の位置に配置され、排出されたシートは切換ゲートの上に積載される。一方、排出部から大判カットシートが排出される場合には、切換ゲートが第２の位置に配置され、排出されたシートは切換ゲートの下を通されて切換ゲートの下方に配置されたトレイに保持される。
【００１２】
記録装置は、画像が記録された大判カットシートを水平方向に寝かせた状態で保持するための大きいトレイを記録装置に設けると、大型化することにより広い設置スペースが必要になる。しかし、この記録装置では、大判カットシートを保持するトレイは縦型に形成されており、トレイは排出された大判カットシートを立てた状態で保持するので設置スペースを節減できる。
【００１３】
このように、この記録装置では、排出されるシートが、通常サイズのカットシートである場合には切換ゲートに、大判カットシートである場合にはトレイに、仕分けられて保持される。
【特許文献１】特開平０５−０７７９９８号公報
【特許文献２】特開平０５−３３０７１８号公報
【発明の開示】
【発明が解決しようとする課題】
【００１４】
しかしながら、特許文献１に記載された記録装置では、シートが排出される排出部と各トレイとの間に切換弁が設けられているが、記録装置は切換弁などの新たな部材が設けられることにより大型化する。そのため、記録装置は切換弁などの新たな部材を用いずにシートを仕分けることができるように構成されていることが望ましい。
【００１５】
また、連続シートに画像を記録することができる記録装置では、一般的に、画像が記録された連続シートは裁断された後にトレイに保持される。そのため、このような記録装置は、連続シートが大きいサイズに裁断された場合にも、裁断されたシートをトレイに保持できるように構成されていることが望ましい。
【００１６】
記録装置は、大きいサイズに裁断された連続シートを水平方向に寝かせた状態で保持するための大きいトレイを設けると、大型化することにより広い設置スペースが必要になる。したがって、このような記録装置では、特許文献２に記載された記録装置のように、大きいサイズに裁断された連続シートを立てた状態で保持できるような縦型のトレイを設けて、記録装置の設置スペースを節減することが望ましい。
【００１７】
ところが、特許文献１に記載された記録装置では、連続シートが保持される上トレイの下方にはカットシートが排出される下トレイがある。そのため、この記録装置では、上トレイを、大きいサイズに裁断された連続シートを立てた状態で保持できるような深さを有する縦型のトレイにすることは困難である。
【００１８】
また、特許文献２に記載された記録装置では、大判カットシートが排出されるときに、切換ゲートが第２の位置に配置されると、切換ゲートの排出部側の端部が上方へ移動して、切換ゲートの上面は排出部から離れる方向へ向かって下方へ傾く。したがって、通常サイズのカットシートが切換ゲートの上に積載された状態で、大判カットシートが排出される場合に、切換ゲートの上に積載されたシートは排出部から離れる方向へ付勢される。そのため、切換ゲートの上に積載されたシートは、切換ゲートの移動が繰り返されることによって、各シートがそれぞれ排出部から離れる方向へ徐々に移動することにより乱雑になることがある。
【００１９】
さらに、切換ゲートの上に積載されたシートが排出部から離れる方向へ移動すると、その後、通常のカットシートが排出される際に排出されるシートが既に切換ゲートの上に積載されているシートの排出部側の端部に引っかかることがある。このことが原因で、記録装置には、シートの排出不良やシート詰まりなどの不具合が発生することがある。
【００２０】
そこで、本発明は、排出されるシートを仕分けて保持することができる記録装置を提供することを目的とする。
【課題を解決するための手段】
【００２１】
上記目的を達成するため、本発明の記録装置は、画像が記録されたシートを排出する排出部と、該排出部から排出された前記シートの排出経路を切り換える切換部を備えたトレイと、を有する記録装置において、前記切換部は、前記シートを前記トレイの上に積載させる第１の位置と、前記シートを前記トレイとは異なるシート収容部に保持させる第２の位置との間を移動可能であり、前記トレイは、上面が前記切換部から離れる方向へ向かって上方へ傾斜するように形成された傾斜部を有していることを特徴とする。
【発明の効果】
【００２２】
本発明によれば、排出されるシートを仕分けて保持することができる記録装置を提供することができる。
【発明を実施するための最良の形態】
【００２３】
次に、本発明の実施形態について図面を参照して説明する。
（第１の実施形態）
まず、図１〜図５を参照して、本発明の第１の実施形態に係る記録装置について説明する。
【００２４】
図１は本発明の第１の実施形態に係る記録装置の斜視図である。記録装置１００は、大判インクジェットプリンタであり、裁断されていない連続シートであるロールシートおよび裁断されたカットシートに画像を記録することができる。
【００２５】
記録装置１００は、画像が記録されるシートがセットされるカセット５およびロールシート保持部１２を有しており、カットシートはカセット５にセットされ、ロールシートはロールシート保持部１２にセットされる。また、記録装置１００は、カセット５にセットされたカットシートを内部へ供給する給紙ローラ６と、ロールシート保持部１２にセットされたロールシートを内部へ供給する給紙ローラ１３と、を有している。
【００２６】
また、記録装置１００は、給紙ローラ６，１３によって供給されたシートを搬送する搬送ローラ７と、搬送ローラ７からシートが搬送されるプラテン８と、を有している。搬送ローラ７によってプラテン８の上に搬送されたシートには、プラテン８に対向する位置に装着された記録ヘッド９によって画像の記録が行われる。
【００２７】
また、記録装置１００は、互いに当接した２つのローラを備えた排紙ローラ１０を有しており、排紙ローラ１０は、画像が記録された後に２つのローラの当接部である排出部に送られたシートを挟持して、２つのローラを回転させることにより排出する。
【００２８】
また、記録装置１００は、画像が記録されたカットシートが保持される排紙トレイ１と、画像が記録されたロールシートが保持されるシート収容部４と、を有している。記録装置１００では、シート収容部４が排紙トレイ１の下方に設けられており、積載部が上下２段に構成されていることにより、設置スペースが節減されている。
【００２９】
また、記録装置１００では、脚部であるスタンド１７が設けられており、スタンド１７が記録装置１００の全体を保持している。
【００３０】
次に、図２を参照して、記録装置１００におけるカットシートの排出動作について説明する。図２は、本実施形態に係る記録装置のカットシートを排出可能な状態における側断面図である。
【００３１】
記録装置１００の排紙トレイ１は、排紙ローラ１０の排出部に近接して端部が配置されている切換部２と、上面が切換部２から離れる方向へ向かって上方へ傾斜するように形成された傾斜部３と、を有している。
【００３２】
切換部２は、排紙ローラ１０の排出部側の上端が排紙ローラ１０の排出部より下に配置されている第１の位置と、排紙ローラ１０の排出部側の上端が排紙ローラ１０の排出部より上に配置されている第２の位置と、の間を移動可能である。切換部２は、支軸１５に回動可能に支持されており、支軸１５を中心に回動して排紙ローラ１０の排出部側の端部を上下に動作させることによって第１の位置と第２の位置との間を移動する。
【００３３】
記録装置１００では、画像が記録されたカットシート３０ａが排出される場合には、切換部２が第１の位置に配置される。したがって、排紙ローラ１０の排出部から排出されたカットシート３０ａは排紙トレイ１の上に積載される。記録装置１００では、排紙トレイ１に５０枚程度のカットシートを保持することができる。
【００３４】
排紙トレイ１の上に積載されたカットシート３０ｂは、排紙ローラ１０の排出部に近接している部分が切換部２によって保持され、切換部２に保持されている部分よりも排紙ローラ１０の排出部から離れている部分が傾斜部３によって保持されている。カットシート３０ｂの、傾斜部３によって保持されている部分は、排出部から離れる方向へ向かって上方へ傾いた状態で保持されているので、カットシート３０ｂは排紙ローラ１０の排出部に近づく方向へ付勢される。切換部２の、排紙ローラ１０の排出部側の上端部にはシート規制部２ａが形成されており、カットシート３０ｂは排紙ローラ１０の排出部側の端部がシート規制部２ａに当接することにより揃えられた状態で保持される。
【００３５】
次に、図３を参照して、記録装置１００におけるロールシートの排出動作について説明する。図３は、本実施形態に係る記録装置のロールシートを排出可能な状態における側断面図である。
【００３６】
記録装置１００では、画像が記録されたロールシート３１ａが排出される場合には、切換部２が第２の位置に配置される。したがって、排紙ローラ１０の排出部から排出されたロールシート３１ａは排紙トレイ１の上には積載されずに排紙トレイ１の下へ通される。
【００３７】
排紙トレイ１の切換部２の下面には排出されたロールシートを裁断するカッタ１６が設けられており、カッタ１６は排紙トレイ１の下へ通されたロールシート３１ａを所定のサイズに裁断する。裁断されたロールシート３１ａは排紙トレイ１の下方に設けられたシート収容部４内に収容される。記録装置１００ではシート収容部４に２０枚程度の裁断されたロールシートを保持することができる。
【００３８】
シート収容部４内の下端部にはシート規制部４ａが形成されており、シート収容部４の内壁面はシート規制部４ａから上方へ傾斜するように形成されている。そのため、シート収容部４内に収容されたシートは、シート規制部４ａに当接することにより揃えられた一端から、その一端に対向している他端へ向けてシート収容部４の内壁面に沿って上方へ延びた状態で保持される。
【００３９】
したがって、シート収容部４は、シートを略水平方向に寝かせた状態で保持する排紙トレイ１よりも狭いスペースでシートを保持することができる。そのため、記録装置１００では、ロールシートが大きいサイズで裁断される場合にも大型化を伴わずにシートを保持することができる。
【００４０】
また、記録装置１００では、ロールシート３１ａが排出される場合に、切換部２が第２の位置に配置されると、切換部２の、排紙ローラ１０の排出部側の端部が上方へ移動して、切換部２の上面は排紙ローラ１０の排出部から離れる方向へ向かって下方へ傾く。したがって、カットシート３０ｂが排紙トレイ１の上に積載された状態で、ロールシート３１ａが排出される場合に、切換部２の上に積載されたカットシート３０ｂが排紙ローラ１０の排出部から離れる方向へ付勢される。
【００４１】
しかし、記録装置１００では、カットシート３０ｂは傾斜部３によって排紙ローラ１０の排出部に近づく方向へ付勢されていることにより、カットシート３０ｂが排紙ローラ１０の排出部から離れる方向へ移動することが防止されている。したがって、記録装置１００では、カットシート３０ｂが排紙トレイ１の上に積載された状態で、ロールシート３１ａが排出される場合にも、排紙トレイ１の上に積載されたカットシート３０ｂが乱雑にならない。
【００４２】
以上述べたように、記録装置１００では、排紙トレイ１の切換部２が第１の位置と第２の位置との間を移動することで、ロールシートとカットシートとで排出経路を切り換えることによって、切換弁などの新たな部材を用いずに仕分けて保持することができる。また、記録装置１００では、排紙トレイ１に傾斜部３が設けられていることにより、切換部２が第２の位置に移動しても、排紙トレイ１の上に積載されたカットシート３０ｂが乱雑にならない。
【００４３】
次に、図４を参照して、記録装置１００のシートの排出動作時の制御機構について説明する。図４は本実施形態に係る記録装置のシートの排出動作時の制御機構について示すブロック図である。
【００４４】
記録装置１００は、シートの種類を検知するシート種類検知部２２と、切換部２の配置位置を制御する制御部１８と、排紙トレイ１の切換部２の下面に設けられたカッタ１６に接続されたモータ２３と、を有している。
【００４５】
モータ２３は、カッタ１６を移動させることにより、カッタ１６に接続された切換部２を回動させて第１の位置と第２の位置との間を移動させることができる。なお、モータによらず、ソレノイドなどの他の駆動機構によって切換部２を回動させるように構成してもよい。
【００４６】
記録装置１００においてシートが排出される場合、まず、シート種類検知部２２が、排紙ローラ１０の排出部から排出されるシートがカットシートであるかロールシートであるかを検知する。シート種類検知部２２は制御部１８の入力ポート１９に接続されており、検知した情報を制御部１８の入力ポート１９に伝達する。入力ポート１９に伝達された情報は、制御プログラム２０によって第１の制御信号に変換される。
【００４７】
モータ２３は制御部１８の出力ポート２１に接続されており、モータ２３には出力ポートから第１の制御信号が伝達される。モータ２３は、第１の制御信号に応じて、排出されるシートがカットシートである場合には切換部２を第１の位置に配置させ、ロールシートである場合には切換部２を第２の位置に配置させる。
【００４８】
また、記録装置１００には、ユーザが種々の操作命令を行うための操作ボタン２４が設けられており、操作ボタン２４は制御部１８の入力ポート１９に接続されている。操作ボタン２４から制御部１８の入力ポート１９に伝達されたユーザの操作命令が制御プログラム２０によってユーザ操作信号に変換されて出力ポート２１からモータ２３に伝達される。これにより、記録装置１００では、ユーザの操作命令によっても切換部２の位置を変更することができる。
【００４９】
また、記録装置１００は、排出されるシートが保持される場所を表示する表示部２５を有しており、表示部２５は制御部１８の出力ポート２１に接続されている。出力ポート２１がモータ２３に伝達する各制御信号に応じた信号が出力ポート２１から表示部に伝達されると、表示部２５は排出されるシートが排紙トレイ１またはシート収容部４のいずれの積載部に保持されるかを表示する。
【００５０】
次に、図５を参照して、記録装置１００のシートの排出動作について説明する。図５は本実施形態に係る記録装置のシートの排出動作を示すフローチャートである。
【００５１】
まず、シート種類検知部２２によって、排出されるシートがロールシートであるかカットシートであるかが判断される（Ｓ５−１）。排出されるシートが、ロールシートである場合には切換部２が第２の位置に配置され（Ｓ５−２）、カットシートである場合には切換部２が第１の位置に配置される（Ｓ５−６）。
【００５２】
その後、排出されるシートがロールシートである場合には、シートは、第２の位置に配置された切換部２の下方に排出され（Ｓ５−３）、切換部２の下面に設けられたカッタ１６によって裁断され（Ｓ５−４）、シート収容部４内に収容される（Ｓ５−５）。また、排出されるシートがカットシートである場合には、シートは、第１の位置に配置された切換部２の上方から排出され（Ｓ５−７）、排紙トレイ１の上に積載される（Ｓ５−８）。
（第２の実施形態）
次に、図６〜図８を参照して、本発明の第２の実施形態に係る記録装置について説明する。なお、本実施形態に係る記録装置２００は、以下に示す構成以外は第１の実施形態に係る記録装置１００と同様に構成されており、共通している部分について同一の符号を付している。
【００５３】
図６は本発明の第２の実施形態に係る記録装置の側断面図である。記録装置２００には、排紙トレイ１で保持できる通常サイズのカットシートの最大サイズが設定されている。
【００５４】
記録装置２００では、設定されたカットシートの最大サイズよりも大きい大判カットシート３２ａが排出される場合には、切換部２が第２の位置に配置される。したがって、排紙ローラ１０の排出部から排出された大判カットシート３２ａは、排紙トレイ１の下へ通されてシート収容部４内に収容される。
【００５５】
なお、大判カットシートでない通常サイズのカットシートが排出される場合には、記録装置２００においても、第１の実施形態に係る記録装置１００と同様に、切換部２は第１の位置に配置され、シートは排紙トレイ１の上に積載される。
【００５６】
シート収容部４内に収容された大判カットシート３２ｂは、シート規制部４ａに当接することにより揃えられた一端から、その一端に対向している他端へ向けてシート収容部４の内壁面に沿って上方へ延びた状態で保持される。
【００５７】
シートを略水平方向に寝かせた状態で保持する排紙トレイ１に大判カットシートを保持する場合には、大判カットシートのサイズに合わせて排紙トレイ１を大きくする必要があるため、記録装置が大型化する。しかし、記録装置２００では、大判カットシートが仕分けられてシート収容部４に保持されるため、記録装置の大型化を伴わずに大判カットシートを保持することができる。
【００５８】
以上述べたように、記録装置２００では、排紙トレイ１の切換部２が第１の位置と第２の位置との間を移動することにより、切換弁などの新たな部材を用いずに大判カットシートと通常サイズのカットシートとを仕分けて保持することができる。また、記録装置２００では、大判カットシート３２ｂがシート収容部４に保持されることにより、記録装置の大型化を伴わずに大判カットシート３２ｂを保持することができる。
【００５９】
次に、図７を参照して、記録装置２００のシートの排出動作時の制御機構について説明する。図７は本実施形態に係る記録装置のシートの排出動作時の制御機構について示すブロック図である。
【００６０】
記録装置２００はカットシートのサイズを検知するシートサイズ検知部２６を有している。シートサイズ検知部２６は、排出されるシートがカットシートであるとシート種類検知部２２が判断した場合に、排出されるカットシートが、記録装置２００に設定されたサイズよりも大きい大判カットシートであるか通常サイズのカットシートであるかを検知する。シートサイズ検知部２６は、制御部１８の入力ポート１９に接続されており、検知した情報を制御部１８の入力ポート１９に伝達する。
【００６１】
シートサイズ検知部２６から入力ポート１９に伝達された情報は、制御プログラム２０によって第２の制御信号に変換され、モータ２３および表示部２５に伝達される。モータ２３は、第２の制御信号に応じて、排出されるシートが大判カットシートである場合には、シート種類検知部２２による検知結果にかかわらず、切換部２を第２の位置に配置させ、通常サイズのカットシートである場合には切換部２を第１の位置に配置させる。
【００６２】
次に、図８を参照して、記録装置２００のシートの排出動作について説明する。図８は本実施形態に係る記録装置のシートの排出動作を示すフローチャートである。
【００６３】
まず、シート種類検知部２２によって、排出されるシートがロールシートであるかカットシートであるかが判断される（Ｓ８−１）。排出されるシートがカットシートである場合には、さらに、シートサイズ検知部２６によって、排出されるシートが大判カットシートであるか通常サイズのカットシートであるかが判断される（Ｓ８−６）。そして、排出されるシートが大判カットシートである場合には切換部２が第２の位置に配置され（Ｓ８−７）、通常サイズのカットシートである場合には切換部２が第１の位置に配置される（Ｓ８−１０）。
【００６４】
その後、排出されるシートが大判カットシートである場合には、シートは、第２の位置に配置されている切換部２の下方に排出され（Ｓ８−８）、シート収容部４内に収容される（Ｓ８−９）。また、排出されるシートが通常サイズのカットシートの場合には、シートは、第１の位置に配置されている切換部２の上方から排出され（Ｓ８−１１）、排紙トレイ１の上に積載される（Ｓ８−１２）。
【図面の簡単な説明】
【００６５】
【図１】本発明の第１の実施形態に係る記録装置の斜視図である。
【図２】図１に示した記録装置の側断面図である。
【図３】図１に示した記録装置の側断面図である。
【図４】図１に示した記録装置のシートの排出動作時の制御機構について示すブロック図である。
【図５】図１に示した記録装置のシートの排出動作を示すフローチャートである。
【図６】本発明の第２の実施形態に係る記録装置の側断面図である。
【図７】図６に示した記録装置のシートの排出動作時の制御機構について示すブロック図である。
【図８】図６に示した記録装置のシートの排出動作を示すフローチャートである。
【符号の説明】
【００６６】
１      排紙トレイ
２      切換部
３      傾斜部
４      シート収容部
５      カセット
６，１３        給紙ローラ
７      搬送ローラ
８      プラテン
９      記録ヘッド
１０    排紙ローラ
１２    ロールシート保持部
１５    支軸
１６    カッタ
１７    スタンド
【図１】
2009269691.tif 000003
【図２】
2009269691.tif 000004
【図３】
2009269691.tif 000005
【図４】
2009269691.tif 000006
【図５】
2009269691.tif 000007
【図６】
2009269691.tif 000008
【図７】
2009269691.tif 000009
【図８】
2009269691.tif 000010